(57)【要約】【課題】撮像装置を外部機器に接続して制御する際に、撮像装置側で行われた操作を外部機器側で確認でき、外部機器からの操作を的確に行う技術の実現。【解決手段】外部機器により撮影機能の設定が可能な撮像装置であって、前記外部機器を通信可能に接続する接続手段と、前記撮影機能の設定を行う操作手段と、前記外部機器により設定された撮影機能を設定する設定手段と、前記外部機器による撮影機能の設定中に、前記操作手段による撮影機能の設定操作がなされた場合、その旨を外部機器に通知する通知手段と、を具備する。【選択図】      図１
2007081734.tif 000002
【特許請求の範囲】
【請求項１】
外部機器により撮影機能の設定が可能な撮像装置であって、
前記外部機器を通信可能に接続する接続手段と、
前記撮影機能の設定を行う操作手段と、
前記外部機器により設定された撮影機能を設定する設定手段と、
前記外部機器による撮影機能の設定中に、前記操作手段による撮影機能の設定操作がなされた場合、その旨を外部機器に通知する通知手段と、を具備することを特徴とする撮像装置。
【請求項２】
前記外部機器による撮影機能の設定中に、前記操作手段による撮影機能の設定操作がなされた場合、当該外部機器により撮影機能の設定中である旨を表示する表示手段を更に備えることを特徴とする請求項１に記載の撮像装置。
【請求項３】
前記外部機器による撮影機能の設定中に、前記操作手段による撮影機能の設定操作がなされた場合、当該操作手段による設定操作を無効とする手段を更に備えることを特徴とする請求項２に記載の撮像装置。
【請求項４】
前記通知手段は、前記操作手段により設定された撮影機能を前記外部機器に通知することを特徴とする請求項１乃至３のいずれか１項に記載の撮像装置。
【請求項５】
前記通知手段は、前記操作手段により設定された撮影機能が前記外部機器による前記撮影機能の設定を不可とする機能の場合、前記外部機器による設定が不可となったことを当該外部機器に通知することを特徴とする請求項１乃至４のいずれか１項に記載の撮像装置。
【請求項６】
前記表示手段は、前記外部機器による撮影機能の設定中に、前記操作手段による撮影機能の設定操作がなされた場合、当該操作手段による設定操作があったことを表示することを特徴とする請求項２に記載の撮像装置。
【請求項７】
前記表示手段は、前記操作手段により変更された撮影機能の内容を表示することを特徴とする請求項６に記載の撮像装置。
【請求項８】
前記表示手段は、前記操作手段による撮影機能の設定が無効とされたことを表示することを特徴とする請求項３に記載の撮像装置。
【請求項９】
前記表示手段は、所定の時間だけ表示を行うことを特徴とする請求項２，６，７，８のいずれかに記載の撮像装置。
【請求項１０】
撮像装置に対して撮影機能の設定が可能な外部機器であって、
前記撮像装置を通信可能に接続する接続手段と、
前記撮影機能の設定を行う操作手段と、
前記撮像装置に対して撮影機能を設定中に、当該撮像装置から前記撮像装置による撮影機能の設定がなされたとの通知を受けた場合、その旨を表示する表示手段と、を具備することを特徴とする外部機器。
【請求項１１】
外部機器と撮像装置とを接続した撮影システムであって、
前記撮像装置は、
前記外部機器を通信可能に接続する接続手段と、
前記撮影機能の設定を行う操作手段と、
前記外部機器により設定された撮影機能を設定する設定手段と、
前記外部機器による撮影機能の設定中に、前記操作手段による撮影機能の設定操作がなされた場合、その旨を外部機器に通知する通知手段と、を備え、
前記外部機器は、
前記撮像装置を通信可能に接続する接続手段と、
前記撮影機能の設定を行う操作手段と、
前記撮像装置に対して撮影機能を設定中に、前記通知手段により前記撮像装置による撮影機能の設定がなされたとの通知を受けた場合、その旨を表示する表示手段と、を備えることを特徴とする撮影システム。
【請求項１２】
外部機器を通信可能に接続する接続手段と、撮影機能の設定を行う操作手段と、を備え、前記外部機器により撮影機能の設定が可能な撮像装置の制御方法であって、
前記外部機器による撮影機能の設定中に、前記操作手段による撮影機能の設定操作がなされた場合、その旨を外部機器に通知する工程を備えることを特徴とする方法。
【請求項１３】
撮像装置を通信可能に接続する接続手段と、前記撮像装置に対して撮影機能の設定を行う操作手段と、を備える外部機器の制御方法であって、
前記撮像装置に対して撮影機能を設定中に、当該撮像装置から前記撮像装置による撮影機能の設定がなされたとの通知を受けた場合、その旨を表示する工程を備えることを特徴とする方法。
【請求項１４】
外部機器と撮像装置とを接続し、当該外部機器により前記撮像装置の撮影機能の設定を可能とした撮影システムの制御方法であって、
前記撮像装置は、前記外部機器による撮影機能の設定中に、前記撮影機能の設定操作がなされた場合、その旨を外部機器に通知する工程を備え、
前記外部機器は、前記撮像装置に対して撮影機能を設定中に、当該撮像装置から前記撮像装置による撮影機能の設定がなされたとの通知を受けた場合、その旨を表示する工程を備えることを特徴とする方法。
【請求項１５】
請求項１２乃至１４のいずれか１項に記載の方法をコンピュータに実行させるためのプログラム。
【請求項１６】
請求項１５に記載のプログラムを記憶したことを特徴とするコンピュータ可読記憶媒体。
【発明の詳細な説明】
【技術分野】
【０００１】
本発明は、撮像装置を外部機器で制御する技術に関するものである。
【背景技術】
【０００２】
従来、ハードディスクやプリンタ等のパーソナルコンピュータ（以下、ＰＣ）の周辺機器は、デジタルインターフェース（以下、デジタルＩ／Ｆ）によりデータ通信を行っている。また、近年、デジタルスチルカメラやデジタルビデオカメラ等（以下、デジタルカメラ）の電子的に撮像処理を行う撮像装置もＰＣへの画像入力用の周辺機器として活用されている。
【０００３】
また、デジタルカメラで撮影した静止画像や動画像、それらに伴なう音声データをＰＣへ取込み、ハードディスクへの記憶やＰＣでの画像編集といった分野の技術が進歩している。これにより、デジタル機器間の通信に適用可能な汎用型デジタルＩ／Ｆ（例えば、IEEE1394-1995ハイパフォーマンス・シリアルバス）を用いて、ＰＣとデジタルカメラを接続し各機器間でのデータ通信を実現する方式が提案されている。
【０００４】
また、ＩＥＥＥ１３９４は、画像データのような大容量データを機器制御データと共に高速で転送できるという大きな特徴を持っている。このため、画像データのＰＣへの転送も円滑に行うことが可能となった。また、ＰＣとデジタルカメラとの間で機器制御データをやり取りすることにより、デジタルカメラの遠隔操作も可能となっている。
【０００５】
従来例としては、撮像装置を制御するための制御データを予め記憶しておき、データ通信用インタフェース部を介して撮像装置と接続されたことを検出したときに、予め記憶された制御データを撮像装置に送信するものがある（例えば、特許文献１参照）。
【特許文献１】特開２０００−０３２３２１公報
【発明の開示】
【発明が解決しようとする課題】
【０００６】
上記従来術においては、ＰＣとデジタルカメラとの間で機器制御データをやり取りすることにより、ＰＣからデジタルカメラの操作を行うことが可能である。また、ＰＣとの接続状態で、デジタルカメラ側にある操作部により操作を行うことも可能である。このため、ＰＣからの操作とカメラ側の操作の両方からモード変更等を行った場合、特にＰＣからの操作を行っている状態でカメラ側の操作を行うと、ＰＣからの操作が的確に行われない場合がある。また、カメラ側の操作によってＰＣからの操作の受付が不可となる場合がある。
【０００７】
本発明は、上記課題に鑑みてなされ、撮像装置を外部機器に接続して制御する際に、撮像装置側で行われた操作を外部機器側で確認でき、外部機器からの操作を的確に行う技術の実現を目的としている。
【課題を解決するための手段】
【０００８】
上述した課題を解決し、目的を達成するために、本発明は、外部機器により撮影機能の設定が可能な撮像装置であって、前記外部機器を通信可能に接続する接続手段と、前記撮影機能の設定を行う操作手段と、前記外部機器により設定された撮影機能を設定する設定手段と、前記外部機器による撮影機能の設定中に、前記操作手段による撮影機能の設定操作がなされた場合、その旨を外部機器に通知する通知手段と、を具備する。
【０００９】
また、本発明は、撮像装置に対して撮影機能の設定が可能な外部機器であって、前記撮像装置を通信可能に接続する接続手段と、前記撮影機能の設定を行う操作手段と、前記撮像装置に対して撮影機能を設定中に、当該撮像装置から前記撮像装置による撮影機能の設定がなされたとの通知を受けた場合、その旨を表示する表示手段と、を具備する。
【００１０】
また、本発明は、上記外部機器と上記撮像装置とを接続した撮影システムとして構成される。
【００１１】
また、本発明は、外部機器を通信可能に接続する接続手段と、撮影機能の設定を行う操作手段と、を備え、前記外部機器により撮影機能の設定が可能な撮像装置の制御方法であって、前記外部機器による撮影機能の設定中に、前記操作手段による撮影機能の設定操作がなされた場合、その旨を外部機器に通知する工程を備える。
【００１２】
また、本発明は、撮像装置を通信可能に接続する接続手段と、前記撮像装置に対して撮影機能の設定を行う操作手段と、を備える外部機器の制御方法であって、
前記撮像装置に対して撮影機能を設定中に、当該撮像装置から前記撮像装置による撮影機能の設定がなされたとの通知を受けた場合、その旨を表示する工程を備える。
【００１３】
また、本発明は、上記外部機器と上記撮像装置とを接続し、当該外部機器により前記撮像装置の撮影機能の設定を可能とした撮影システムの制御方法であって、前記撮像装置は、前記外部機器による撮影機能の設定中に、前記撮影機能の設定操作がなされた場合、その旨を外部機器に通知する工程を備え、前記外部機器は、前記撮像装置に対して撮影機能を設定中に、当該撮像装置から前記撮像装置による撮影機能の設定がなされたとの通知を受けた場合、その旨を表示する工程を備える。
【発明の効果】
【００１４】
本発明によれば、撮像装置を外部機器に接続して制御する際に、撮像装置側で行われた操作を外部機器側で確認でき、外部機器からの操作を的確に行うことができる。
【発明を実施するための最良の形態】
【００１５】
以下、本発明に係る一実施形態について図面を参照して詳細に説明する。
【００１６】
なお、以下に説明する実施形態は、本発明の実現手段としての一例であり、本発明が適用される装置の構成や各種条件によって適宜修正又は変更されるべきものであり、本発明は以下の実施形態に限定されるものではない。
【００１７】
［第１の実施形態］
図１は本発明に係る実施形態の撮像装置とＰＣとを接続したシステム構成を示すブロック図である。
【００１８】
撮像装置２０は、例えば民生用デジタルＶＴＲである。撮像装置２０とＰＣ３０とはＩＥＥＥ（The Institute of Electrical and Electronic Engineers,Inc）１３９４のシリアルバスケーブル（以下、１３９４ケーブル）１９で接続されている。
【００１９】
図１において、１は磁気テープ等のテープ記録媒体である。２は磁気テープ１に対する記録及び再生を制御する記録再生制御部である。３はメモリカードやハードディスク等の固定記録媒体である。４は記録媒体３に対するデータの記録及び再生を制御する記録再生制御部である。６はレンズである。７はレンズ６を通して被写体の光学像を電気信号に変換するＣＣＤ等の撮像素子である。８は撮像素子７から取り込んだ電気信号に信号処理を行い、デジタル画像データを生成する画像信号処理部である。
【００２０】
画像信号処理部８は撮像素子７のアナログ信号をディジタル信号に変換するＡ／Ｄ変換処理、Ａ／Ｄ変換処理を行ったデジタル信号に対して所定の画素補間処理や色変換処理を行う。
【００２１】
９は撮像素子７により取り込んだ画像データや磁気テープ１及び記録媒体３に保存された画像データの再生信号を信号出力部１０へ出力するための出力信号処理部である。１０は出力信号処理部９からの再生信号を出力する信号出力部である。１１は撮像素子７により取り込んだ画像データや磁気テープ１及び記録媒体３に保存された画像データの再生信号をＣＶＦ（Color View Finder）１２やＬＣＤ１３に出力するためのＬＣＤ／ＣＶＦ制御部である。
【００２２】
１２はＬＣＤ／ＣＶＦ制御部１１からの再生信号を表示するＣＶＦである。１３はＬＣＤ／ＣＶＦ制御部１１からの再生信号を表示するＬＣＤパネルである。１４は出力信号処理部９やＬＣＤ／ＣＶＦ制御部１１への再生信号に文字信号を付加するための文字信号処理部である。
【００２３】
１５は撮像装置２０を操作するための操作部である。操作部１５は、システム制御部１８に対して各種の動作指示を入力するための操作手段であり、スイッチやダイアル、タッチパネル、視線検知によるポインティング、音声認識装置等の単数或いは複数の組み合わせで構成される。
【００２４】
上記操作手段としては、後述するプリセットモード等の動作モードを設定するモードダイアルスイッチ、図２に例示する各種の画像処理パラメータを設定するユーザー設定スイッチ等がある。ユーザはこの操作手段により図２に例示するような撮像装置２０の撮影機能を設定できる。
【００２５】
１６はメモリである。１７はＩＥＥＥ１３９４での通信を行う１３９４Ｉ／Ｆ部である。１８は撮像装置全体を制御するシステム制御部である。１９は撮像装置２０とＰＣ３０とを接続するＩＥＥＥ１３９４ケーブルである。ＰＣ３０は一般的なディスプレイ等の表示部、キーボード等の操作部、撮像装置２０と通信するＩ／Ｆ部、記憶装置等を備え、撮像装置２０を制御することができる。
【００２６】
本実施形態では、外部機器であるＰＣ３０と撮像装置２０とを接続するデジタルＩ／ＦとしてＩＥＥＥ１３９４シリアルバスを用いるので、ＩＥＥＥ１３９４シリアルバスについて予め説明しておく。
【００２７】
家庭用デジタルＶＴＲやＤＶＤ記録再生装置等の登場に伴なって、ビデオデータやオーディオデータ等の大量のデータをリアルタイムに転送する必要性が高まっている。このようにビデオデータやオーディオデータをリアルタイムで転送して、ＰＣ３０に取り込んだり、その他のデジタル機器に転送するには、高速データ転送可能なインタフェースが必要になってくる。このような観点から開発されたインタフェースがＩＥＥＥ１３９４（ハイパフォーマンス・シリアルバス：１３９４シリアルバス）である。
【００２８】
また、ＩＥＥＥ１３９４ａ仕様でのデータ転送速度は、１００Ｍｂｐｓ、２００Ｍｂｐｓ、４００Ｍｂｐｓの３種の転送速度を備えており、高速の転送速度を持つ機器が低速の転送速度をサポートして、互換をとるようになっている。データ転送モードとしては、コントロール信号等の非同期（Asynchronous）データ（以下、Ａｓｙｎｃデータ）を転送するＡｓｙｎｃｈｒｏｎｏｕｓ転送モードがある。更に、リアルタイムなビデオデータやオーディオデータ等の同期（Isochronous）データ（以下、Ｉｓｏデータ）を転送するＩｓｏｃｈｒｏｎｏｕｓ転送モードがある。ＡｓｙｎｃデータとＩｓｏデータは、各サイクル（通常１サイクル１２５μＳ）の中において、サイクル開始を示すサイクル・スタート・パケット（ＣＳＰ）の転送に続き、Ｉｓｏデータの転送を優先しつつサイクル内で混在して転送される。
【００２９】
また、各機器での通信を制御するコマンドはＡＶプロトコル等によって規定されており、非同期データであるＡｓｙｎｃデータとしてＡｓｙｎｃｈｒｏｎｏｕｓ転送により行う。
【００３０】
次に、撮像装置及びＰＣの動作について説明する。
【００３１】
撮像装置２０により撮影した画像データをＰＣ３０に転送して画像処理を行う場合、図２に示す各種コマンドをＩＥＥＥ１３９４のＡｓｙｎｃデータとしてＡｓｙｎｃｈｒｏｎｏｕｓ転送によりＰＣ３０に転送する。
【００３２】
ＰＣ３０は、図２に示す「プリセットモード  ＯＮ」コマンドをＩＥＥＥ１３９４ケーブル１９を介して撮像装置２０の１３９４Ｉ／Ｆ部１７に転送する。システム制御部１８は、１３９４Ｉ／Ｆ部１７から入力された当該コマンドと撮像装置２０の現在の動作モードとからプリセットモードへの移行が可能かどうかを判断する。そして可能な場合は、プリセットモードに移行すると共に１３９４Ｉ／Ｆ部１７を通じて、プリセットモードに移行したことをＡｓｙｎｃデータとしてＡｓｙｎｃｈｒｏｎｏｕｓ転送により、ＰＣ３０に通知する。
【００３３】
撮像装置２０からの通知で、ＰＣ３０は撮像装置２０がプリセットモードに移行したと判断すると、ＰＣ３０側で設定された画像処理のパラメータに関するコマンドを撮像装置２０の１３９４Ｉ／Ｆ部１７に転送する。システム制御部１８は、１３９４Ｉ／Ｆ部１７から入力されたコマンドにより画像信号処理部８を制御する。また、画像データは、システム制御部１８によりＩｓｏデータに変換され、Ｉｓｏｃｈｒｏｎｏｕｓ転送モードにより１３９４Ｉ／Ｆ部１７からＰＣ３０に出力される。
【００３４】
図３はプリセットモードにおけるＰＣ３０側のユーザインタフェース画面を例示している。
【００３５】
ＰＣ３０のディスプレイには、撮像装置２０から転送された画像データとしてのＩｓｏデータを再生信号に変換して出力すると共に、画像処理パラメータの設定を行うためのユーザインタフェース（User Interface）画面が表示される。具体的には、撮像装置２０がＰＣＰＣ３０に接続中であること、設定中のパラメータが表示される。
【００３６】
撮像装置２０の操作は操作部１５でも行えるため、操作部１５によりパラメータ設定を行った場合は、システム制御部１８は設定された値に基づいて画像信号処理部８を制御する。また、システム制御部１８は、１３９４Ｉ／Ｆ部１７を通じてＰＣ３０に対して、変更された設定値を通知する。また、画像データは、システム制御部１８によりＩｓｏデータに変換され、Ｉｓｏｃｈｒｏｎｏｕｓ転送モードにより、１３９４Ｉ／Ｆ部１７からＰＣ３０に対して出力される。システム制御部１８は、ＡｓｙｎｃデータとしてＡｓｙｎｃｈｒｏｎｏｕｓ転送により、操作部１５により画像処理のパラメータ設定操作が行われたことをＰＣ３０に対して通知する。
【００３７】
図４は、プリセットモードにおいて撮像装置本体側からパラメータ設定操作を行ったときのＰＣ３０側のユーザインタフェース画面を示し、撮像装置２０によるパラメータの設定変更があったことや変更後の値が表示される。
【００３８】
更に、撮像装置２０の操作部１５によりプリセットモードの解除指示やプリセットモードを保持できない他のモードへの移行指示が行われる場合がある。この場合は、システム制御部１８は撮像装置２０のプリセットモードの解除を行う前に、設定された画像処理の制御データやパラメータをメモリ１６に記録して保存する。その後、システム制御部１８は、プリセットモードを解除すると共に、１３９４Ｉ／Ｆ部１７を通じてＰＣ３０に対して、プリセットモードを解除したことをＡｓｙｎｃデータとしてＡｓｙｎｃｈｒｏｎｏｕｓ転送により通知する。
【００３９】
また、システム制御部１８は、操作部１５により設定されたモードがＰＣ３０による機能設定を不可とするモードの場合、ＰＣ３０による設定が不可となったことをＰＣ３０に通知する。
【００４０】
図５は撮像装置本体側の操作によりプリセットモードが解除されたときのＰＣ３０側のユーザインタフェース画面を示し、プリセットモードからＰＣ３０による機能設定ができないモードに変更された場合、ＰＣ３０による設定が不可となったことが表示される。
【００４１】
本実施形態では、ＰＣ３０から設定できる撮影機能として図２に示す画像処理パラメータの設定やプリセットモードの解除を一例に説明しているが、これらに限定されるものではない。
【００４２】
図８及び図９は、本実施形態の動作を示すフローチャートである。
【００４３】
Ｓ１００１：システム制御部１８は、撮像装置２０がプリセットモードであるか判断する。
【００４４】
Ｓ１００２：システム制御部１８は、撮像装置２０の操作部１５により装置本体側で操作が有ったかを判断する。
【００４５】
Ｓ１００３：システム制御部１８は、操作が無い場合は、ＰＣ３０から１３９４Ｉ／Ｆ部１７にコマンドが有ったかを判断する。
【００４６】
Ｓ１００４：システム制御部１８は、ＰＣ３０から１３９４Ｉ／Ｆ部１７にコマンドが転送された場合は、そのコマンドが画像処理を行うプリセットデータ（パラメータ）の変更コマンドか判断する。
【００４７】
Ｓ１００５：システム制御部１８は、コマンドがプリセットデータの変更コマンドの場合は、画像信号処理部８に対して制御を行いプリセットデータを変更する。また、画像処理後の画像データはＩｓｏデータに変換されＩｓｏｃｈｒｏｎｏｕｓ転送モードにより、１３９４Ｉ／Ｆ部１７からＰＣ３０に出力される。
【００４８】
Ｓ１００６：システム制御部１８は、プリセットデータの変更コマンドを受け付けたことをＡｓｙｎｃデータとして１３９４Ｉ／Ｆ部１７にセットする。
【００４９】
Ｓ１００７：システム制御部１８は、１３９４Ｉ／Ｆ部１７にＡｓｙｎｃデータをＡｓｙｎｃｈｒｏｎｏｕｓ転送するように指示してＰＣ３０に通知する。
【００５０】
Ｓ１００８：システム制御部１８は、コマンドがプリセットモードの解除コマンドかを判断する。
【００５１】
Ｓ１００９：システム制御部１８は、コマンドがプリセットモードの解除コマンドの場合は撮像装置２０のプリセットモードを解除する。
【００５２】
Ｓ１０１０：システム制御部１８は、本体操作有りの場合は、コマンドがプリセットデータの変更コマンドかを判断する。
【００５３】
Ｓ１０１１：システム制御部１８は、コマンドがプリセットデータの変更コマンドの場合は、画像信号処理部８に対して制御を行いプリセットデータを変更する。また、画像処理後の画像データはＩｓｏデータに変換されＩｓｏｃｈｒｏｎｏｕｓ転送モードにより、１３９４Ｉ／Ｆ部１７からＰＣ３０に出力される。
【００５４】
Ｓ１０１２：システム制御部１８は、撮像装置２０の操作部１５によりプリセットデータの変更コマンドを受け付けたことをＡｓｙｎｃデータとして１３９４Ｉ／Ｆ部１７にセットする。
【００５５】
Ｓ１０１３：システム制御部１８は、１３９４Ｉ／Ｆ部１７によりＡｓｙｎｃデータをＡｓｙｎｃｈｒｏｎｏｕｓ転送するように指示してＰＣ３０に通知する。
【００５６】
Ｓ１０１４：システム制御部１８は、コマンドがプリセットモードの解除コマンドかを判断する。
【００５７】
Ｓ１０１５：システム制御部１８は、コマンドがプリセットモードの解除コマンドの場合は撮像装置２０のプリセットモードを解除する。
【００５８】
Ｓ１０１６：システム制御部１８は、撮像装置２０の操作部１５によりプリセットモードを解除したことをＡｓｙｎｃデータとして１３９４Ｉ／Ｆ部１７にセットする。
【００５９】
Ｓ１０１７：システム制御部１８は、１３９４Ｉ／Ｆ部１７によりＡｓｙｎｃデータをＡｓｙｎｃｈｒｏｎｏｕｓ転送するように指示してＰＣ３０に通知する。
【００６０】
Ｓ１０２０：システム制御部１８は、撮像装置２０がプリセットモードとなっていない場合、本体操作が有ったかを判断する。
【００６１】
Ｓ１０２１：システム制御部１８は、本体操作が無い場合は、ＰＣ３０から１３９４Ｉ／Ｆ部１７にコマンドが有ったかを判断する。
【００６２】
Ｓ１０２２：システム制御部１８は、ＰＣ３０から１３９４Ｉ／Ｆ部１７にコマンドが有る場合は、コマンドがプリセットモードをＯＮとするコマンドかを判断する。
【００６３】
Ｓ１０２３：システム制御部１８は、コマンドがプリセットモードをＯＮとするコマンドの場合は、撮像装置２０をプリセットモードとする。
【００６４】
Ｓ１０２４：システム制御部１８は、撮像装置２０がプリセットモードとなったことをＡｓｙｎｃデータとして１３９４Ｉ／Ｆ部１７にセットする。
【００６５】
Ｓ１０２５：システム制御部１８は、１３９４Ｉ／Ｆ部１７によりＡｓｙｎｃデータをＡｓｙｎｃｈｒｏｎｏｕｓ転送するように指示してＰＣ３０に通知する。
【００６６】
Ｓ１０２６：システム制御部１８は、本体操作有りの場合は、コマンドがプリセットモードをＯＮとするコマンドかを判断する。
【００６７】
Ｓ１０２７：システム制御部１８は、コマンドがプリセットモードをＯＮとするコマンドの場合は、撮像装置２０をプリセットモードとする。
【００６８】
Ｓ１０２８：システム制御部１８は、撮像装置２０がプリセットモードとなったことをＡｓｙｎｃデータとして１３９４Ｉ／Ｆ部１７にセットする。
【００６９】
Ｓ１０２９：システム制御部１８は、１３９４Ｉ／Ｆ部１７によりＡｓｙｎｃデータをＡｓｙｎｃｈｒｏｎｏｕｓ転送するように指示してＰＣ３０に通知する。
【００７０】
以上のように、本実施形態によれば、撮像装置２０とＰＣ３０とを接続した状態で、ＰＣ３０側から撮像装置２０に対して画像処理を行うためのパラメータの設定操作中に、撮像装置２０側で別の設定操作が行われると、ＰＣ３０に操作内容が通知される。このため、操作者は撮像装置２０での操作をＰＣ３０側で確認でき、ＰＣ３０での操作を的確に行える。
【００７１】
［第２の実施形態］
第２の実施形態では、プリセットモードにおいてＰＣ３０から撮像装置２０に対してプリセットデータの設定中は、撮像装置２０の操作部１５による操作を無効としＰＣ３０からの操作を優先する。そして、システム制御部１８は、文字信号処理部１４を制御して信号出力部１０やＣＶＦ１２及びＬＣＤパネル１３にメッセージを表示する。図６では、ＰＣ３０による設定中であること、カメラによる設定がされたこと、カメラによる設定が無効にされたことを示すメッセージが一定時間だけ表示される。
【００７２】
図１０〜１４は第２の実施形態の動作を示すフローチャートである。
【００７３】
Ｓ２００１：システム制御部１８は、撮像装置２０がプリセットモードとなっているかを判断する。
【００７４】
Ｓ２００２：システム制御部１８は、本体操作が有ったかを判断する。
【００７５】
Ｓ２００３：システム制御部１８は、本体操作が無い場合は、ＰＣ３０から１３９４Ｉ／Ｆ部１７にコマンドが有ったかを判断する。
【００７６】
Ｓ２００４：システム制御部１８は、ＰＣ３０から１３９４Ｉ／Ｆ部１７にコマンドが有る場合は、コマンドがプリセットデータを変更するコマンドかを判断する。
【００７７】
Ｓ２００５：システム制御部１８は、コマンドがプリセットデータの変更コマンドの場合は、画像信号処理部８に対して制御を行いプリセットデータを変更する。また、画像データはＩｓｏデータに変換され、Ｉｓｏｃｈｒｏｎｏｕｓ転送モードにより１３９４Ｉ／Ｆ部１７からＰＣ３０に出力される。
【００７８】
Ｓ２００６：システム制御部１８は、プリセットデータの変更コマンドを受け付けたことをＡｓｙｎｃデータとして１３９４Ｉ／Ｆ部１７にセットする。
【００７９】
Ｓ２００７：システム制御部１８は、１３９４Ｉ／Ｆ部１７によりＡｓｙｎｃデータをＡｓｙｎｃｈｒｏｎｏｕｓ転送するように指示してＰＣ３０に通知する。
【００８０】
Ｓ２００８：システム制御部１８は、コマンドがプリセットモードの解除コマンドかを判断する。
【００８１】
Ｓ２００９：システム制御部１８は、コマンドがプリセットモードの解除コマンドの場合は、撮像装置２０のプリセットモードを解除する。
【００８２】
Ｓ２０１０：システム制御部１８は、図６に示す表示をＯＦＦするため、表示要求フラグ及び表示タイマーのクリアを行う。
【００８３】
Ｓ２０１１：システム制御部１８は、本体操作有りの場合は、コマンドがプリセットデータの変更コマンドかを判断する。
【００８４】
Ｓ２０１２：システム制御部１８は、コマンドがプリセットデータの変更コマンドの場合はコマンドを無効とする。即ち、撮像装置２０の操作部１５によるプリセットデータの設定を禁止しＰＣ３０からの操作を優先する。
【００８５】
Ｓ２０１３：システム制御部１８は、図６に示す表示をＯＮとするため、表示要求フラグのセットを行う。
【００８６】
Ｓ２０１６：システム制御部１８は、コマンドがプリセットモードの解除コマンドかを判断する。
【００８７】
Ｓ２０１７：システム制御部１８は、コマンドがプリセットモードの解除コマンドの場合は、撮像装置２０のプリセットモードを解除する。
【００８８】
Ｓ２０１８：システム制御部１８は、図６に示す表示をＯＦＦするため、表示要求フラグ及び表示タイマーのクリアを行う。
【００８９】
なお、図１１のＳ２０２０以降の撮像装置２０がプリセットモードとなっていない場合の動作は、図９のＳ１０２０以降と同様であるので説明を省略する。
【００９０】
図１２は表示処理を示すフローチャートである。
【００９１】
Ｓ２０３０：システム制御部１８は、表示要求フラグがセットされているかを判断する。
【００９２】
Ｓ２０３１：システム制御部１８は、表示要求フラグがセットされている場合は、表示要求フラグをクリアして表示タイマーのｎ秒分のセットを行う（ｎは任意の数）。
【００９３】
Ｓ２０３２：システム制御部１８は、表示タイマーがオーバーしているかを判断する。
【００９４】
Ｓ２０３３：システム制御部１８は、表示タイマーがオーバーしていない場合は、文字信号処理部１４を制御して信号出力部１０やＣＶＦ１２及びＬＣＤパネル１３に図６に示す表示を行う。
【００９５】
Ｓ２０３４：システム制御部１８は、表示タイマーがオーバーしていない場合は、図６に示す表示をＯＦＦとする。
【００９６】
Ｓ２０３５：システム制御部１８は、表示タイマーのカウントを行う。
【００９７】
以上のように、本実施形態によれば、プリセットモードにおいてＰＣ３０から撮像装置２０に対してプリセットデータの設定を操作中は、撮像装置２０の操作部１５による操作を無効としＰＣ３０からの操作を優先する。また、撮像装置２０側で誤ってデータ変更操作等を行った場合であっても、操作が無効とされた旨がＰＣ３０に表示される。このため、操作者に注意を促し誤操作を低減することができる。また、不用意な操作によってＰＣ３０での操作が無効となることを防止し、ＰＣ３０での操作を的確に行える。
【００９８】
［第３の実施形態］
第３の実施形態は、プリセットモードにおいて撮像装置２０の操作部１５によりプリセットモードを解除する操作が行われた場合は、撮像装置２０での操作を無効としプリセットモードの解除を禁止する。そして、システム制御部１８は、文字信号処理部１４を制御して信号出力部１０やＣＶＦ１２及びＬＣＤパネル１３に、図７に示すようなＰＣ３０による設定中であるためモード変更ができないことを示すメッセージを一定時間だけ表示する。
【００９９】
図１３〜１７は第３の実施形態の動作を示すフローチャートである。
【０１００】
Ｓ３００１：システム制御部１８は、撮像装置２０がプリセットモードであるか判断する。
【０１０１】
Ｓ３００２：システム制御部１８は、本体操作が有ったかを判断する。
【０１０２】
Ｓ３００３：システム制御部１８は、操作が無い場合は、ＰＣ３０から１３９４Ｉ／Ｆ部１７にコマンドが有ったかを判断する。
【０１０３】
Ｓ３００４：システム制御部１８は、ＰＣ３０から１３９４Ｉ／Ｆ部１７にコマンドが転送された場合は、そのコマンドが画像処理を行うプリセットデータの変更コマンドか判断する。
【０１０４】
Ｓ３００５：システム制御部１８は、コマンドがプリセットデータの変更コマンドの場合は、画像信号処理部８に対して制御を行いプリセットデータを変更する。また、画像処理後の画像データはＩｓｏデータに変換されＩｓｏｃｈｒｏｎｏｕｓ転送モードにより、１３９４Ｉ／Ｆ部１７からＰＣ３０に出力される。
【０１０５】
Ｓ３００６：システム制御部１８は、プリセットデータの変更コマンドを受け付けたことをＡｓｙｎｃデータとして１３９４Ｉ／Ｆ部１７にセットする。
【０１０６】
Ｓ３００７：システム制御部１８は、１３９４Ｉ／Ｆ部１７にＡｓｙｎｃデータをＡｓｙｎｃｈｒｏｎｏｕｓ転送するように指示してＰＣ３０に通知する。
【０１０７】
Ｓ３００８：システム制御部１８は、図７に示す表示をＯＦＦするため、表示要求フラグ及び表示タイマーのクリアを行う。
【０１０８】
Ｓ３００９：システム制御部１８は、コマンドがプリセットモードの解除コマンドかを判断する。
【０１０９】
Ｓ３０１０：システム制御部１８は、コマンドがプリセットモードの解除コマンドの場合は撮像装置２０のプリセットモードを解除する。
【０１１０】
Ｓ３０１１：システム制御部１８は、図７に示す表示をＯＦＦするため、表示要求フラグ及び表示タイマーのクリアを行う。
【０１１１】
Ｓ３０１２：システム制御部１８は、本体操作有りの場合は、コマンドがプリセットデータの変更コマンドかを判断する。
【０１１２】
Ｓ３０１３：システム制御部１８は、コマンドがプリセットデータの変更コマンドの場合は、画像信号処理部８に対して制御を行いプリセットデータを変更する。また、画像データはＩｓｏデータに変換されＩｓｏｃｈｒｏｎｏｕｓ転送モードにより、１３９４Ｉ／Ｆ部１７からＰＣ３０に出力される。
【０１１３】
Ｓ３０１４：システム制御部１８は、撮像装置２０の操作部１５によりプリセットデータの変更コマンドを受け付けたことをＡｓｙｎｃデータとして１３９４Ｉ／Ｆ部１７にセットする。
【０１１４】
Ｓ３０１５：システム制御部１８は、１３９４Ｉ／Ｆ部１７によりＡｓｙｎｃデータをＡｓｙｎｃｈｒｏｎｏｕｓ転送するように指示してＰＣ３０に通知する。
【０１１５】
Ｓ３０１６：システム制御部１８は、図７に示す表示をＯＦＦするため、表示要求フラグ及び表示タイマーのクリアを行う。
【０１１６】
Ｓ３０１７：システム制御部１８は、コマンドがプリセットモードの解除コマンドかを判断する。
【０１１７】
Ｓ３０１８：システム制御部１８は、コマンドがプリセットモードの解除コマンドの場合は、図７に示す表示をＯＮとするため表示要求フラグをセットすると共に、コマンドを無効としプリセットモードの解除を禁止する。
【０１１８】
Ｓ３０３０：システム制御部１８は、撮像装置２０がプリセットモードとなっていない場合、本体操作が有ったかを判断する。
【０１１９】
Ｓ３０３１：システム制御部１８は、本体操作が無い場合は、ＰＣ３０から１３９４Ｉ／Ｆ部１７にコマンドが有ったかを判断する。
【０１２０】
Ｓ３０３２：システム制御部１８は、ＰＣ３０から１３９４Ｉ／Ｆ部１７にコマンドが有る場合は、コマンドがプリセットモードをＯＮとするコマンドかを判断する。
【０１２１】
Ｓ３０３３：システム制御部１８は、コマンドがプリセットモードをＯＮとするコマンドの場合は、撮像装置２０をプリセットモードとする。
【０１２２】
Ｓ３０３４：システム制御部１８は、撮像装置２０がプリセットモードとなったことをＡｓｙｎｃデータとして１３９４Ｉ／Ｆ部１７にセットする。
【０１２３】
Ｓ３０３５：システム制御部１８は、１３９４Ｉ／Ｆ部１７によりＡｓｙｎｃデータをＡｓｙｎｃｈｒｏｎｏｕｓ転送するように指示してＰＣ３０に通知する。
【０１２４】
Ｓ３０３６：システム制御部１８は、図７に示す表示をＯＦＦするため、表示要求フラグ及び表示タイマーのクリアを行う。
【０１２５】
Ｓ３０３７：システム制御部１８は、本体操作有りの場合は、コマンドがプリセットモードをＯＮとするコマンドかを判断する。
【０１２６】
Ｓ３０３８：システム制御部１８は、コマンドがプリセットモードをＯＮとするコマンドの場合は、撮像装置２０をプリセットモードとする。
【０１２７】
Ｓ３０３９：システム制御部１８は、撮像装置２０がプリセットモードとなったことをＡｓｙｎｃデータとして１３９４Ｉ／Ｆ部１７にセットする。
【０１２８】
Ｓ３０４０：システム制御部１８は、１３９４Ｉ／Ｆ部１７によりＡｓｙｎｃデータをＡｓｙｎｃｈｒｏｎｏｕｓ転送するように指示してＰＣ３０に通知する。
【０１２９】
Ｓ３０４１：システム制御部１８は、図７に示す表示をＯＦＦするため、表示要求フラグ及び表示タイマーのクリアを行う。
【０１３０】
なお、図１５の表示処理は、図１２と同様であるので説明を省略する。
【０１３１】
以上のように、本実施形態によれば、プリセットモードにおいて撮像装置２０の操作部１５によりプリセットモードを解除する操作が行われた場合は、撮像装置２０での操作を無効としプリセットモードの解除を禁止する。また、撮像装置２０側で誤ってモード解除操作等を行った場合であっても、操作が無効とされた旨がＰＣ３０に表示される。このため、操作者に注意を促し誤操作を低減することができる。また、不用意な操作によってＰＣ３０での操作が無効となることを防止し、ＰＣ３０での操作を的確に行える。
【０１３２】
［他の実施形態］
以上、本発明に係る実施形態について具体例を用いて詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【０１３３】
また、本発明の目的は、図示の機能ブロック及び動作において、いずれの部分をハードウェア回路により実現し、或いはコンピュータを用いたソフトウェア処理によって実現しても達成されることは言うまでもない。
【０１３４】
尚、本発明は、前述した実施形態の機能を実現するソフトウェアのプログラムを、システムあるいは装置に直接あるいは遠隔から供給することによって達成される場合も含む。その場合、システム等のコンピュータが該プログラムコードを読み出して実行することになる。
【０１３５】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１３６】
その場合、プログラムの機能を有していれば、オブジェクトコード、インタプリタにより実行されるプログラム、OSに供給するスクリプトデータ等の形態であっても良い。
【０１３７】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【０１３８】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【０１３９】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【０１４０】
また、コンピュータが、読み出したプログラムを実行することによって、前述した実施形態の機能が実現される他、そのプログラムの指示に基づき、コンピュータ上で稼動しているOS等が、実際の処理の一部又は全部を行うことによっても実現され得る。
【０１４１】
更に、記録媒体から読み出されたプログラムが、コンピュータに挿入された機能拡張ボードやコンピュータに接続された機能拡張ユニットのメモリに書き込まれた後、該ボード等のCPU等が実際の処理の一部又は全部を行うことによっても実現される。
【図面の簡単な説明】
【０１４２】
【図１】本発明に係る実施形態の撮像装置とＰＣとを接続したシステム構成を示すブロック図である。
【図２】画像処理の制御コマンドを例示する図である。
【図３】第１の実施形態のＰＣ側での表示画面を例示する図である。
【図４】第１の実施形態のＰＣ側での表示画面を例示する図である。
【図５】第１の実施形態のＰＣ側での表示画面を例示する図である。
【図６】第２の実施形態のＰＣ側での表示画面を例示する図である。
【図７】第３の実施形態のＰＣ側での表示画面を例示する図である。
【図８】第１の実施形態の動作を示すフローチャートである。
【図９】第１の実施形態の動作を示すフローチャートである。
【図１０】第２の実施形態の動作を示すフローチャートである。
【図１１】第２の実施形態の動作を示すフローチャートである。
【図１２】第２の実施形態の表示処理を示すフローチャートである。
【図１３】第３の実施形態の動作を示すフローチャートである。
【図１４】第３の実施形態の動作を示すフローチャートである。
【図１５】第３の実施形態の表示処理を示すフローチャートである。
【符号の説明】
【０１４３】
１  磁気テープ
２  記録再生制御部
３  記録媒体
４  記録再生制御部
６  レンズ
７  撮像素子
８  画像信号処理部
９  出力信号処理部
１０  信号出力部
１１  ＬＣＤ／ＣＶＦ制御部
１２  ＣＶＦ
１３  ＬＣＤパネル
１４  文字信号処理部
１５  操作部
１６  メモリ
１７  １３９４Ｉ／Ｆ部
１８  システム制御部
１９  １３９４ケーブル
２０  撮像装置
３０  ＰＣ
【図１】
2007081734.tif 000003
【図２】
2007081734.tif 000004
【図３】
2007081734.tif 000005
【図４】
2007081734.tif 000006
【図５】
2007081734.tif 000007
【図６】
2007081734.tif 000008
【図７】
2007081734.tif 000009
【図８】
2007081734.tif 000010
【図９】
2007081734.tif 000011
【図１０】
2007081734.tif 000012
【図１１】
2007081734.tif 000013
【図１２】
2007081734.tif 000014
【図１３】
2007081734.tif 000015
【図１４】
2007081734.tif 000016
【図１５】
2007081734.tif 000017